(57)【特許請求の範囲】
【請求項１】
本体内に設けた水槽と、この水槽の水位を一定に保ちつつ給水する給水タンクと、前記水槽の底面より突出して設けた放熱体と、この放熱体の内部に設けた発熱体と、前記放熱体の周囲に水面より突き出して立設した熱拡散防止筒を有し、前記放熱体の天面部を水面下に設け、この天面部を略平板状に形成し、この天面部裏側に発熱体を密着して付設した加湿機。
【請求項２】
熱拡散防止筒の側面に開孔部を設け、この開孔部は放熱体の天面より下方に配し、前記熱拡散防止筒の上端に設けた吐出口から、ファンモーターからの空気とともに本体外に蒸気を吐出する請求項１記載の加湿機。
【発明の詳細な説明】
【０００１】
【発明の属する技術分野】
本発明は、室内の加湿調節を行う加湿機に関するものである。
【０００２】
【従来の技術】
従来、この種の加湿機は、図６のような構成が一般的であった。以下、その構成について図６を参照しながら説明する。
【０００３】
図に示すように、本体１０１内に設けた加湿皿１０２の底面と、水槽１０３の底面はパイプ１０４で連通されている。水槽１０３の上部に設置されたタンク１０５により、水槽１０３および加湿皿１０２が一定水位となるように給水されている。水槽１０３内に設けた水位検知用のフロート１０６は水位が低下したとき、加湿皿の周囲に固定された発熱体１０７の通電を停止するものである。ファンモーター１０８は加湿皿１０２より発生する水蒸気を蒸気案内筒１０９を通して本体１０１から室内に送出するものである。
【０００４】
上記構成において、タンク１０５から水槽１０３およびパイプ１０４を通して加湿皿１０２へ給水され、発熱体１０７で加熱された蒸気は蒸気案内筒１０９を通り、ファンモーター１０８からの空気とともに室内に吹き出される。
【０００５】
また、加湿機は特開平７−３２４７８４号公報に記載されたものが知られている。すなわち図７に示すように、水槽１１０内に挿入する水排出手段１１１を蒸気案内筒１１２に付設することにより、水槽１１０内の水容量を少なくして、水蒸気の発生が早まり、加湿機の立ち上がり時間を短縮できるようにしている。
【０００６】
【発明が解決しようとする課題】
このような従来の加湿機では、水道水を加熱することにより次第にマグネシウムやカルシウムなどの不純物が加湿皿の側面やパイプ内に付着するため、加湿皿を定期的に清掃する必要があるが、凹状の加湿皿の壁面やパイプ内に付着した不純物を除去するのが難しく、清掃しやすい構造が要求されている。
【０００７】
また、発熱体は加湿皿の側周に固定されているため、加湿皿の接触面だけでなく、加湿皿の反対側へも放熱することになり、発熱体の熱量が有効に利用されていないこともあり、加熱効率の高い加湿方式が要求されている。
【０００８】
本発明はこのような従来の課題を解決するものであり、加湿皿の清掃がしやすく、熱の放射を抑えた加熱効率の高い加湿機を提供することを目的としている。
【０００９】
また、従来の加湿機では、加湿皿内の所定水位に満たした水を加熱して昇温しているため、蒸発を始めるまでの立ち上がり時間が長くなることがあり、通電開始から短時間で加湿を開始できることが要求されている。
【００１０】
本発明はこのような従来の課題を解決するものであり、短時間で加湿運転を開始できる加湿機を提供することを目的としている。
【００１１】
また、従来の加湿機では、一定水位に保つために給水タンクの水が加湿皿の底から噴出して供給されるため、熱水と混合して加湿皿内の水温が下がり加湿運転が不安定になるとともに、水温が再び上昇するときに沸騰に至る過程で生ずる騒音が幾度も周期的に発生することがあり、加湿量を定常的に保ち低騒音で運転できることが要求されている。
【００１２】
本発明はこのような従来の課題を解決するものであり、蒸気発生量を定常に保ち、低騒音で運転できる加湿機を提供することを目的としている。
【００１３】
また、従来の図７に示す加湿機では、水排出手段１１１は蒸気案内筒１１２に付設しているため、構造が複雑となり部品点数および組立工数が増えるとともに、蒸気案内筒１１２を本体に装着時に水排出手段１１１の浮力があるため、装着作業性が良くないことがあり、部品点数を増やさず、蒸気案内筒１１２の装着作業が容易にできることが要求されている。
【００１４】
本発明はこのような従来の課題を解決するものであり、構造が簡単で部品点数が少なく、蒸気案内筒の装着が容易で運転立ち上がり時間の少ない加湿機を提供することを目的としている。
【００１５】
また、従来の加湿機では、加湿皿に固定されたヒーター熱は加湿皿を介して、本体の構成物を伝わり拡散してしまうことがあり、発熱体の熱が周囲に拡散して失われないことが要求されている。
【００１６】
本発明はこのような従来の課題を解決するものであり、発熱体の熱が周囲に拡散しない加湿機を提供することを目的としている。
【００１７】
【課題を解決するための手段】
上記課題を解決するための本発明の加湿機の一つの手段は本体内に設けた水槽と、この水槽の水位を一定に保ちつつ給水する給水タンクと、前記水槽の底面より突出して設けた放熱体と、この放熱体の内部に設けた発熱体と、前記放熱体の周囲に水面より突き出して立設した熱拡散防止筒を有し、前記放熱体の天面部を水面下に設け、この天面部を略平板状に形成し、この天面部裏側に発熱体を密着して付設した構成としたものである。
【００１８】
そして本発明によれば上記手段により、発熱体の熱の放射を抑えて加熱効率を向上し、加湿皿の清掃がしやすく、短時間で加湿運転を開始できる加湿機が得られる。
【００１９】
また他の手段は、熱拡散防止筒の側面に開孔部を設け、この開孔部は放熱体の天面より下方に配し、前記熱拡散防止筒の上端に設けた吐出口から、ファンモーターからの空気とともに本体外に蒸気を吐出する構成としたものである。
【００２０】
そして本発明によれば上記手段により、蒸気発生量を定常に保ち、低騒音で運転でき、部品点数が少なく、蒸気案内筒の装着が容易で運転立ち上がり時間の少ない加湿機が得られる。
【００２１】
【発明の実施の形態】
本発明の請求項１に記載の発明は、本体内に設けた水槽と、この水槽の水位を一定に保ちつつ給水する給水タンクと、前記水槽の底面より突出して設けた放熱体と、この放熱体の内部に設けた発熱体と、前記放熱体の周囲に水面より突き出して立設した熱拡散防止筒を有し、前記放熱体の天面部を水面下に設け、この天面部を略平板状に形成し、この天面部裏側に発熱体を密着して付設した構成としたものであり、放熱体は凸型をしているので、表面を清掃するのは容易であり、底面にはパイプがないためパイプに不純物が溜まることもなく、また放熱体で加熱された熱水は放熱体を囲う拡散防止筒で仕切られた範囲の水だけを放熱体により加熱することにより、水の対流による熱損失を少なくして効率良く蒸発させ、発熱体の天面上方の水を集中的に加熱して蒸発させるので、通電開始から蒸発までの立ち上がり時間を短くできる。さらに放熱体からの伝熱が効率良く水の加熱に使用されるため、周囲に無駄な伝熱を生じないので熱に弱いパッキンなどの構成部品に熱損傷を与えないという作用を有する。
【００２２】
請求項２に記載の発明は、熱拡散防止筒の側面に開孔部を設け、この開孔部は放熱体の天面より下方に配し、前記熱拡散防止筒の上端に設けた吐出口から、ファンモーターからの空気とともに本体外に蒸気を吐出する構成としたものであり、放熱体の上部水面から蒸発した水を補給するように熱拡散防止筒の開孔部より少しずつ周囲の水が流れ込むため、加熱水の温度が供給水により大きく低下することはなく、拡散防止筒の下部は発熱体を包囲し加熱された蒸気はそのまま熱拡散防止筒に沿って上昇し、ファンモーターからの空気とともに上端に設けた吐出口より本体外へ送り出し、また熱拡散防止筒の取り付け時は下端部が開放しているため、下端部を水没させても浮力を発生しないという作用を有する。
【００２３】
以下、本発明の実施の形態について添付図面を参照しながら説明する。
【００２４】
（実施の形態１）
図１および図２は加湿機の断面図を示し、図１において本体１内に設けた水槽２の底面には凸形状の放熱体６が突設され、この水槽２に一定水位で給水する給水タンク３が着脱自在に載置されている。放熱体６の周囲には熱拡散防止筒７を設け、熱拡散防止筒７の上部は水面より上方に突出し、下部は水槽２の底面に載置されている。図２に示すように放熱体６の内部には発熱体９が内装されている。なお水槽２の水位が下がるとフロート４も下がり、リードスイッチ５が作動して発熱体９を安全に停止するようになっている。また
ファンモーター８は放熱体６で加熱生成した蒸気を本体１外に搬送するものである。
【００２５】
上記構成において、タンク３から給水された水は、水槽２を通って放熱体６へ供給される。放熱体６で加熱された水は蒸気となってファンモーター８からの空気とともに室内に吹き出される。この際に、放熱体６で加熱された温水は対流して水槽２内の周囲に拡散しようとするが、拡散防止筒７で周囲と仕切られているため、温水が拡散して熱が周囲に逃げることはなく、さらに放熱体６の内部に発熱体９を収納しているので、発熱体９から直接に逸散する熱量を少なくでき、また水中に微量に含まれているマグネシウムやカルシウムなどの不純物が放熱体６の表面に次第に蓄積して付着するが、放熱体６の表面が凸形状なので清掃しやすいという作用を行うこととなる。
【００２６】
（実施の形態２）
図１および図２は加湿機の断面図を示している。なお実施の形態１に記載したものと同一構成のものは同一番号を付して詳しい説明は省略する。
【００２７】
図２において、放熱体６の天面部６ａを水面下に設け、この天面部６ａを略平板状に形成し、この天面部６ａの裏側から支持板１０で平板状の発熱体９を挟み込んでいる。すなわち発熱体９は天面部６ａの裏面に密着して固定されている。
【００２８】
上記構成により、発熱体９は拡散防止筒７で囲まれた天面部６ａ上方の水を集中的に加熱して蒸発させるので、水の熱対流による熱損失を少なくして効率よく蒸発させ、通電開始から蒸発までの立ち上がり時間を短くできる。さらに放熱体からの伝熱が効率良く水の加熱に使用されるため、本体内を伝わり加熱する無駄な伝熱はなく、熱に弱いパッキンなどの構成部品の損傷を防止できるという作用を行うこととなる。
【００２９】
（実施の形態３）
図１および図３は加湿機の断面図を示している。なお実施の形態１および２に記載したものと同一構成のものは同一番号を付して詳しい説明は省略する。
【００３０】
図３において、熱拡散防止筒７の側面に開孔部７ａを設け、この開孔部７ａは放熱体６の天面部６ａより下方に配している。
【００３１】
上記構成により、放熱体６を加熱すると天面部６ａの上部水面から蒸発した水を補給するように熱拡散防止筒７の開孔部７ａより少しずつ周囲の水が流れ込むため、天面部６ａの上部にある加熱水の温度の変動を防止して略一定に保つという作用を行うこととなる。
【００３２】
（実施の形態４）
図１は加湿機の断面図を示している。なお実施の形態１〜３に記載したものと同一構成のものは同一番号を付して詳しい説明は省略する。
【００３３】
図１において、熱拡散防止筒７の上端に本体外に蒸気を吐出する吐出口７ｂを設けている。
【００３４】
上記構成により、熱拡散防止筒７の下部は発熱体９を包囲しているので、加熱された蒸気はそのまま熱拡散防止筒７に沿って上昇し、上端に設けた吐出口７ｂよりファンモータ８からの空気とともに本体外へ送り出し、また熱拡散防止筒７の下端部は開放しているため、下端部を水没させても浮力をほとんど発生しないという作用を行うこととなる。
【００３５】
（参考の形態１）
図１、図３および図４は加湿機の断面図を示している。なお実施の形態１〜４に記載し
たものと同一構成のものは同一番号を付して詳しい説明は省略する。
【００３６】
図３において、熱遮断筒１１の下部は水槽２内に立設し、下端部に複数の開孔部１１ａを形成し、熱遮断筒１１の上端に本体外に蒸気を吐出する吐出口１１ｂを設けている。
【００３７】
図４において、熱遮断筒１１の下部は水槽２内に立設し、下端部に複数の開孔部１１ａを形成し、熱拡散防止筒７の上端に本体外に蒸気を吐出する吐出口７ｂを設けている。
【００３８】
上記構成により、発熱体９は熱拡散防止筒７内の水を加熱して蒸発させるが、さらに熱拡散防止筒７から周囲に逃げようとする熱は熱遮断筒１１に遮断されるため、周囲の水槽２に貯えた水に伝わって失われる熱量を少なく抑えることができるという作用を行うこととなる。
【００３９】
なお、参考の形態１では熱拡散防止筒７と熱遮断筒１１を分離構造としたが両者を一体構造としてもよく、この場合は部品点数を少なくして取扱いが容易となる効果が得られる。
【００４０】
（参考の形態２）
図１および図５（イ）は加湿機の断面図を示し、図５（ロ）は熱拡散防止筒の外観図を示している。なお実施の形態１〜４および参考の形態１に記載したものと同一構成のものは同一番号を付して詳しい説明は省略する。
【００４１】
図５において、熱拡散防止筒７の周囲に熱遮断筒１１を一体に形成し、熱拡散防止筒７と熱遮断筒１１の間に断熱空間１２を形成している。
【００４２】
熱遮断筒１１は熱拡散防止筒７の外周より水平方向に延設した円板部１１ａと円板部１１ａの端部に立設する円筒部１１ｂからなる。円板部１１ａは水槽２の水面より下方に位置し、円筒部１１ｂは円板部１１ａの外周端より水槽２の水面上に突出して設けられ、熱拡散防止筒７と円筒部１１ｂの間に形成された断熱空間１２は水面を分断する位置に設けられている。
【００４３】
上記構成により、発熱体９は熱拡散防止筒７内の水を加熱して蒸発させるが、熱拡散防止筒７から周辺に逃げようとする熱は熱遮断筒１１に遮断され、さらに水に比べて熱伝導率の低い空気層を有する断熱空間１２より伝熱量は大幅に低減する。また断熱空間１２は熱拡散防止筒７内側の蒸発面と熱遮断筒１１の円筒部１１ｂ外側の水面との間に介在するため、高温の蒸発面から水槽２に貯えた常温の水に伝わり逃げる熱を遮断して、外部への放熱を極めて少なくできるという作用を行うこととなる。
【００４４】
【発明の効果】
以上のように本発明によれば、水槽の底面より突出した放熱体とその周囲に熱拡散防止筒を設けることにより、水中に含まれるマグネシウムやカルシウムなどの不純物が付着しても凸形状の表面は掃除が容易に行えるとともに、放熱体から熱拡散を抑えて加熱効率を向上できるという有利な効果が得られる。
【００４５】
また、放熱体の周囲に熱拡散防止筒を設け、放熱体の天面部に発熱体を密着して付設することにより、発熱体の天面部上方の水を集中的に加熱して蒸発させるので、通電開始から蒸発までの立ち上がり時間を短くできる。さらに放熱体からの伝熱が効率良く水の加熱に使用されるため、本体内を伝わり加熱する無駄な伝熱はなく、熱に弱いパッキンなどの構成部品を損傷することはないという有利な効果が得られる。
【００４６】
また、熱拡散防止筒の下部に開孔部を設けることにより、放熱体の上部水面から蒸発した水を補給するように熱拡散防止筒の開孔部より少しずつ周囲の水が流れ込むため、加熱水の温度が供給水の混入で大きく下げられることはなく、蒸気発生量を定常に保ち低騒音で運転できるという有利な効果が得られる。
【００４７】
また、熱拡散防止筒の上端に吐出口を設けたことにより、熱拡散防止筒の下部は発熱体を包囲しているので加熱された蒸気をそのまま吐出口よりファンモーターからの空気ととも本体外へ送り出し、簡単な構造で部品点数も少なく運転立ち上がり時間を短縮できるとともに、熱拡散防止筒の下端部は開放しているため、下端部を水没させてもほとんど浮力を発生せず、取扱いが容易になるという有利な効果が得られる。
【図面の簡単な説明】
【図１】  本発明の実施の形態１〜４の加湿機の断面図
【図２】  同実施の形態１〜３の要部断面図
【図３】  同参考の形態１の加湿機の要部断面図
【図４】  同参考の形態１の他の加湿機の要部断面図
【図５】  （イ）同参考の形態２の加湿機の要部断面図
（ロ）同熱拡散防止筒と熱遮断筒の外観斜視図
【図６】  従来の加湿機の断面図
【図７】  従来の他の加湿機の断面図
【符号の説明】
１    本体
２    水槽
３    給水タンク
６    放熱体
６ａ  天面部
７    熱拡散防止筒
７ａ  開孔部
７ｂ  吐出口
８    ファンモーター
９    発熱体
１１  熱遮断筒
１２  断熱空間
【図１】
0003672660.tif 000002
【図２】
0003672660.tif 000003
【図３】
0003672660.tif 000004
【図４】
0003672660.tif 000005
【図５】
0003672660.tif 000006
【図６】
0003672660.tif 000007
【図７】
0003672660.tif 000008